(57)【要約】【課題】洗面化粧台本体を脚付架台上に載置し、位置調整が容易にでき、しかも見栄えのよい洗面化粧台を実現する。【解決手段】洗面化粧台１は、脚付架台３の上に洗面化粧台本体２を載置してなり、脚付架台３は脚部２２が脚取付用ボード２１に固定されて構成され、脚取付用ボード２１は洗面化粧台本体２の底板よりも小さく形成されており、洗面化粧台本体２の背板７の下端１７は洗面化粧台本体２の側板６の下端１６よりも上方に位置するように構成されており、脚取付用ボード２１は洗面化粧台本体２の背板７の下端１７よりも下方であって、洗面化粧台本体２の側板６の内側に位置する。【選択図】図３
2017209210.tif 000002
【特許請求の範囲】
【請求項１】
洗面化粧台本体と脚付架台を備え、脚付架台の上に洗面化粧台本体を載置してなる洗面化粧台において、脚付架台は脚部が脚取付用ボードに固定されて構成され、脚取付用ボードは洗面化粧台本体の底板よりも小さく形成されていることを特徴とする洗面化粧台。
【請求項２】
請求項ｌに記載の洗面化粧台において、洗面化粧台本体の背板の下端は洗面化粧台本体の側板の下端よりも上方に位置するように構成されており、脚取付用ボードは洗面化粧台本体の背板の下端よりも下方であって、洗面化粧台本体の側板の内側に位置することを特徴とする洗面化粧台。
【請求項３】
請求項１または２に記載の洗面化粧台において、脚取付用ボードは前板を備えることを特徴とする洗面化粧台。
【発明の詳細な説明】
【技術分野】
【０００１】
本発明は、洗面化粧台に関するものである。
【背景技術】
【０００２】
従来、洗面化粧台は、洗面化粧台本体を、直接、床に置いて使用する構成が一般的であるが、洗面化粧台本体を、脚を介して床に置いて使用する構成も近年、多く見られる。脚を介して床に置いて使用する構成としては、洗面化粧台本体に、直接脚部を取り付けた脚付き洗面化粧台が知られている。
【０００３】
例えば、流し台下面に設けたけこみ板と、両側下板内の流し台四隅に高さ調節用ジャッキを設けた流し台が知られている（特許文献１参照）。また、洗面化粧台等を構成するキャビネットの下端部に、床面と当接する固定若しくは高さ調節可能な脚部を備えた構成が知られている（特許文献２参照）。
【０００４】
また、洗面化粧台本体を脚部を介して床に置いて使用する洗面化粧台の他の構成として、図５（ａ）に示すような矩形の枠状のフレーム４１に、脚部４２を取り付けて成るフレーム架台４３を床４４上に予め据え置いて、そのフレーム架台４３の上に、図５（ｂ）に一部を示すが、洗面化粧台本体４６を載置、固定する構成も知られている。
【先行技術文献】
【特許文献】
【０００５】
【特許文献１】実公平２−４８５２６号公報
【特許文献２】実開平２−７４９６９号公報
【発明の概要】
【発明が解決しようとする課題】
【０００６】
従来、脚付き洗面化粧台においては、製造現場において洗面化粧台本体に脚を取り付けるものが一般的であるが、そのような場合は、設置現場への配送の際に、輸送上の破損や、据え付け時の不注意による破損等の問題がある。このような問題を考慮し、洗面化粧台本体への脚の取り付けに関して、設置すべき現場における現地組み立て仕様も多くなっている。
【０００７】
しかし、洗面化粧台本体に直接脚部を取り付ける場合は、通常は、洗面化粧台本体を上下逆さにして脚を取り付けることが多いが、そのためには、設置すべき現場において、作業スペースを十分確保しなければならない。また、脚を取り付けてから上下逆さにして元に戻す際に、取り付けた脚が破損する危険性がある。
【０００８】
他方、例えば、図５（ａ）に示すようなフレーム架台４３を、予め床４４上に据え置いて、その上に洗面化粧台本体４６を載置する構成の場合は、上記のような脚付き洗面化粧台に比べて、設置の際の施工は容易となる。
【０００９】
しかしながら、図５（ｂ）に一部を示すように、フレーム架台４３のフレーム４１が正面側および側面側から露出して見えて、意匠性という点では必ずしも見栄えが良いとは言えない。意匠性を高めるために、フレーム４１の露出面を鏡面仕上げのための研磨加工等をすると、コストが高くなる。
【００１０】
そして、フレーム架台４３の上に洗面化粧台本体４６を載せてから、位置を調整しても、フレーム４１が洗面化粧台本体と不揃い（フレーム４１に対して洗面化粧台本体の周囲に均等なスペースが生じない場合）となると、意匠性を損なう。また、この位置の調整の際に、フレーム架台４３の枠内から洗面化粧台本体４６の一部が落ち込む等の可能性も皆無ではなく、作業も必ずしも容易とは言えない。
【００１１】
本発明は、上記従来の問題を解決することを目的とし、洗面化粧台本体を脚付架台上に載置し、位置調整が容易にでき、しかも見栄えのよい洗面化粧台を実現することを課題とする。
【課題を解決するための手段】
【００１２】
本発明は上記課題を解決するために、洗面化粧台本体と脚付架台を備え、脚付架台の上に洗面化粧台本体を載置してなる洗面化粧台において、脚付架台は脚部が脚取付用ボードに固定されて構成され、脚取付用ボードは洗面化粧台本体の底板よりも小さく形成されていることを特徴とする洗面化粧台を提供する。
【００１３】
洗面化粧台本体の背板の下端は洗面化粧台本体の側板の下端よりも上方に位置するように構成されており、脚取付用ボードは洗面化粧台本体の背板の下端よりも下方であって、洗面化粧台本体の側板の内側に位置する構成とすることが好ましい。
【００１４】
脚取付用ボードは前板を備える構成とすることが好ましい。
【発明の効果】
【００１５】
本発明の洗面化粧台は、洗面化粧台本体と脚付架台を備え、脚付架台の上に洗面化粧台本体を載置してなる洗面化粧台において、洗面化粧台は脚部が脚取付用ボードに固定されて構成され、 脚取付用ボードは洗面化粧台本体の底板よりも小さく形成されていることで、洗面化粧台本体の内側に脚取付用ボードを容易に設置でき、位置調整が容易で見栄えのよい流面化粧台とすることができる。
【図面の簡単な説明】
【００１６】
【図１】本発明に係る洗面化粧台の実施例のうち、洗面化粧台本体を示す斜視図である。
【図２】上記実施例の洗面化粧台の脚付架台の斜視図である。
【図３】（ａ）は上記実施例の洗面化粧台を斜め下方から見た斜視図であり、（ｂ）は（ａ）のＡ部拡大図である。
【図４】上記実施例の洗面化粧台の要部を説明する図であり、（ａ）は側板の内側を透視して見た側面図であり、側板は想像線（２点鎖線）として示す。（ｂ）は（ａ）のＡ部の拡大図である。
【図５】従来例を説明する図であり、（ａ）はフレーム架台の斜視図であり、（ｂ）はフレーム架台に洗面化粧台を載置した状態の部分斜視図である。
【発明を実施するための形態】
【００１７】
本発明に係る洗面化粧台を実施するための形態を実施例に基づき図面を参照して、以下説明する。
【実施例】
【００１８】
本発明に係る洗面化粧台の実施例を図１〜４において説明する。本実施例の洗面化粧台１は、洗面化粧台本体２（図１参照）と脚付架台３（図２参照）を備え、図３（ａ）に示すように、脚付架台３の上に洗面化粧台本体２を載置、固定して構成される。
【００１９】
本実施例の説明では、設置された洗面化粧台１を正面から見て、手前側と奥側の方向を前後方向とし、左右の方向を左右方向（横方向）という。洗面化粧台本体２は、図１および図３（ａ）に示すように、左右の側板６と、背板７と、底板８と、幕板９と、天板１０と、備えている。天板１０は、シンク１１を有する。
【００２０】
左右の側板６、背板７、底板８、幕板９および天板１０で囲まれる空間が収納部１２（図１参照）となっている。収納部１２は、図示はしないが、例えば、扉で開閉される構成、或いは引き出しが設けられた構成となっている。
【００２１】
洗面化粧台本体２の背板７は、その下端１７が、図４（ａ）、（ｂ）に示すように、左右の側板６の下端１６より上方に位置するように、左右の側板６の間（図３（ａ）参照）に取り付けられている。
【００２２】
脚付架台３は、図２に示すように、脚取付用ボード２１と、脚取付用ボード２１に固定された複数の脚部２２と、から構成されている。脚取付用ボード２１は、洗面化粧台本体２の底板８の矩形形状に略対応して形成されており、後側（背側）には給水管、排水管等を通すための切り欠き部２３が形成されている。
【００２３】
脚取付用ボード２１は、洗面化粧台本体２の底板８よりも小さく形成されている。即ち、脚取付用ボード２１の横幅（左右方向の寸法）および奥行きは、それぞれ洗面化粧台本体２の底板８の横幅および奥行きより小さく形成されている。
【００２４】
洗面化粧台本体２の底板８と脚取付用ボード２１の大きさを比較すると、仮に、洗面化粧台本体２の底板８と脚取付用ボード２１の中心を整合させた場合に、左右それぞれに、例えば２０ｍｍ程度の差（クリアランス）があり、前後それぞれに、例えば２０ｍｍ程度の差（クリアランス）がある構成とする。要するに、洗面化粧台本体２に対して脚取付用ボード２１の四周囲に、それぞれ、例えば２０ｍｍ程度の差（クリアランス）がある構成とする。
【００２５】
脚部２２は、脚取付用ボード２１の下面に、ネジ２７で固定されている。即ち、脚部２２は、例えば鉄製で、図４（ｂ）に示すように、その上端に取付板２６が水平に溶着されており、この取付板２６を介してネジ２７で固定される。なお、取付板２６を設けることなく、直接、脚取付用ボード２１側からに脚部２２内にネジを螺入して固定してもよい。
【００２６】
脚取付用ボード２１は、その前面に前板２８（図２参照）が固定されている。この前板２８は、後記するが、洗面化粧台１を前側から見て、脚取付用ボード２１および脚部２２の固定部（取付板２６およびネジ２７）が露出しないように取り付けるものである。
【００２７】
洗面化粧台本体２は、脚付架台３の上に載置され、ネジで固定されている。この固定は、図示はしないが。洗面化粧台本体２の底板８と脚取付用ボード２１を互いに直接、ネジ止めすればよい。
【００２８】
脚取付用ボード２１の上面３１は、図４（ａ）、（ｂ）に示すように、洗面化粧台本体２の背板７の下端１７よりも下方に位置するように構成されている。要するに、背板７の下端１７は、洗面化粧台本体２を脚取付用ボード２１の上に載置した状態で、脚取付用ボード２１の上面３１より上方に位置し、接触しないように構成されている。
【００２９】
また、洗面化粧台本体２が脚付架台３の上に載置された状態では、脚取付用ボード２１は、洗面化粧台本体２の左右の側板６の内側、即ち左右の側板６の間に位置し（図３（ａ）参照）、左右の側板６の下端１６より上方に位置する（図４（ａ）、（ｂ）参照）ように構成されている。
【００３０】
（設置、作用等）
以上の構成から成る本発明の実施例の洗面化粧台１の設置、作用等について、以下さらに説明する。洗面化粧台１は、洗面室の設置箇所において、洗面化粧台本体２を脚取付用ボード２１の上に載置、固定して設置する。
【００３１】
設置作業において、まず、脚取付用ボード２１に、図４（ｂ）に示すように、脚部２２を取付板２６を介してネジ２７で固定して取り付け、図２に示すように、脚付架台３を組み立てる。
【００３２】
この脚取付用ボード２１に脚部２２を固定する作業は、脚取付用ボード２１を立てかけて脚部２２を取付板２６とネジ２７で固定できるので、洗面化粧台本体２全体を上下逆さにして脚部２２を取り付けるような作業をする必要がないので、設置現場で広い作業スペースは不要であり、省スペース効果が優れている。
【００３３】
次に、脚付架台３を、洗面室の設置箇所に据え付け、脚付架台３の脚取付用ボード２１の上に洗面化粧台本体２を載置する。
【００３４】
この載置に際しては、脚取付用ボード２１が洗面化粧台本体２の左右の側板６の内側、即ち洗面化粧台本体２を、左右の側板６の間に位置するように、脚取付用ボード２１上に載置する。そして、洗面化粧台本体２を脚取付用ボード２１上で移動して、洗面化粧台本体２の脚取付用ボード２１に対する前後および左右方向の位置を調整する。
【００３５】
この場合、上記のとおり、洗面化粧台本体２の背板７の下端１７は、洗面化粧台本体２の側板６の下端１６よりも上方に位置し、脚取付用ボード２１は洗面化粧台本体２の背板７の下端１７よりも下方であって、洗面化粧台本体２の側板６の内側に位置するように構成されているので、仮に、洗面化粧台本体２を脚取付用ボード２１の比較的に前側に載置しても、背板７の下端１７および側板６が脚取付用ボード２１に当接することなく、洗面化粧台本体２を、脚取付用ボード２１の上で後方にスムースに押し込みながら、また左右方向にずらしながら、前後方向および左右方向に位置を調整ないし微調整することが可能となる。
【００３６】
そして、脚取付用ボード２１は、洗面化粧台本体２の側板６の内側に位置し、かつ側板６の下端１６より上方に位置するように構成されているので、洗面化粧台１を側方から見ても、脚取付用ボード２１および脚取付用ボード２１への脚部２２の固定部（取付板２６およびネジ２７）が側板６で隠れて見えないので、見栄えが良い。
【００３７】
また、脚取付用ボード２１は、その前面には前板２８が設けられているので、洗面化粧台１を前方から見ても、脚取付用ボード２１および脚取付用ボード２１への脚部２２の固定部が前板２８で隠れて見えないので、見栄えが良い。
【００３８】
さらに、前記したとおり、脚取付用ボード２１に対して洗面化粧台本体２の位置を調整し、仮に脚取付用ボード２１に対して洗面化粧台本体２が不揃いであっても、側板６および前板２８で隠れるので、図５に示す従来のフレーム架台４３のように、見栄えが悪くなることはない。
【００３９】
ところで、前記したとおり脚取付用ボード２１は、洗面化粧台本体２の底板８よりも小さく形成されている。例えば、洗面化粧台本体２に対して脚取付用ボード２１の四周囲に、それぞれ、例えば２０ｍｍ程度の差（クリアランス）がある構成とされている。
【００４０】
このような構成とすると、上記クリアランスの範囲内で、洗面化粧台本体２は、上記脚取付用ボード２１の上で前後左右に移動して、位置を調整することが可能となる。このように位置調整ができると、次のような場合にきわめて効果的である。
【００４１】
洗面・脱衣室の壁は必ずしも厳格に垂直ではなく、微妙に傾斜している場合がある。従って、洗面化粧台本体２の背板７を後方の背壁に寄せて設置する場合、背板７を背壁にぴったり当接することは不可能である、或いは背板７を背壁にぴったり当接したとしても、上方で隙間が生じたりする、という問題が生じる。
【００４２】
このような場合、洗面化粧台本体２を脚取付用ボード２１上で、上記のとおり位置を調整し、背壁に対して、洗面化粧台本体２の背板７をクリアランスを持たせるようにすることで、上記問題は解決できる。
【００４３】
また、洗面化粧台１を、洗面・脱衣室の側壁に沿って設置した場合に、洗面化粧台本体２の側板６を、側壁に当接または近接して設置すると、洗面化粧台１の引き出しを前方に引き出すと、側壁の前側に形成されたドアの開口枠に衝接するという問題が生じる場合がある。
【００４４】
このような場合、洗面化粧台本体２を脚取付用ボード２１上で、上記のとおり位置を調整し、側壁に対して洗面化粧台本体２をクリアランスを介して設置すると、問題が解決できる。
【００４５】
この場合、開口枠の突出厚は、１５ｍｍ程度の場合が多い。そのような場合は、上記のとおり、洗面化粧台本体２に対して脚取付用ボード２１の四周囲に、それぞれ、２０ｍｍ程度のクリアランスがあると良い。
【００４６】
以上、本発明に係る洗面化粧台を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４７】
本発明に係る洗面化粧台は上記のような構成であるから、洗面化粧台に限らず、キッチン等の各種のキャビネットにも適用可能である。                                    
【符号の説明】
【００４８】
１  洗面化粧台
２  洗面化粧台本体
３  脚付架台
６  側板
７  背板
８  底板
９  幕板
１０  天板
１１  シンク
１２  収納部
１６  側板の下端
１７  背板の下端
２１  脚取付用ボード
２２  脚部
２３  切り欠き部
２６  取付板
２７  ネジ
２８  前板
３１  脚取付用ボードの上面
４１  矩形状のフレーム
４２  脚部
４３  フレーム架台
４４  床
４６  洗面化粧台本体
【図１】
2017209210.tif 000003
【図２】
2017209210.tif 000004
【図３】
2017209210.tif 000005
【図４】
2017209210.tif 000006
【図５】
2017209210.tif 000007